(57)【要約】      （修正有）【課題】プラスチック本体の弾性を利用して開閉を行い、好ましい挟持度を有する上、長期間使用しても弾性疲労が起きない、プラスチックヘアクリップを提供する。【解決手段】プラスチックヘアクリップは、外枠体１及び内挟持片２を備える。外枠体１は、左翼片１１及び右翼片１２から構成される。左翼片１１及び右翼片１２は、一端に結合端１３が一体成形され、他端に開放端１４が形成され、使用していないときは、左翼片１１の末端部１１０と右翼片１２の末端部１２０とが分離された開放端１４に形成される。内挟持片２は、左翼片１１と右翼片１２との間に配設されるとともに、長さが左翼片１１及び右翼片１２より僅かに短く、アーチ体２１を有し、一端が左翼片１１及び右翼片１２の結合端１３と一体結合される。【選択図】図１
0003194990.tif 000002
【実用新案登録請求の範囲】
【請求項１】
外枠体及び内挟持片を備えるプラスチックヘアクリップであって、
前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、
前記内挟持片は、前記左翼片と前記右翼片との間に配設されるとともに、長さが前記左翼片及び前記右翼片より僅かに短く、アーチ体を有し、一端が前記左翼片及び前記右翼片の前記結合端と一体結合され、
前記外枠体の前記左翼片と前記右翼片とが前記開放端で結合されると、前記内挟持片の他端が前記外枠体の他側部に位置し、前記外枠体と前記内挟持片とにより前記プラスチックヘアクリップが形成され、
前記左翼片と前記右翼片とが結合されていないとき、前記結合端の末端点と前記開放端の末端点とにより形成された縦向き距離は、結合された２つの末端点の縦向き距離より大きく、
前記プラスチックヘアクリップで髪を挟持しないとき、前記左翼片と前記右翼片との前記開放端を外して前記外枠体の弾性を長期間保持し、前記プラスチックヘアクリップの使用寿命を延ばすことを特徴とするプラスチックヘアクリップ。
【請求項２】
ＣＨＤＭ（１，４―シクロヘキサンジメタノール）５５％、エチレングリコール（Ｅｔｈｙｌｅｎｅ  Ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とＫ−レジン（Ｋ−Ｒｅｓｉｎ）とからなる群から選択した物４％を含む成分比率で製造され、曲げ白化現象又は亀裂がプラスチック本体に生じることを防ぐことを特徴とする請求項１に記載のプラスチックヘアクリップ。
【請求項３】
厚さが０．８〜１．２ｍｍであり、特に０．９ｍｍであることが好ましいことを特徴とする請求項１に記載のプラスチックヘアクリップ。
【請求項４】
前記結合端に延設された前記左翼片とバーチャル中軸線とからなる夾角が５〜７度であり、
前記右翼片と前記バーチャル中軸線とからなる夾角は５〜７度であることを特徴とする請求項１に記載のプラスチックヘアクリップ。
【請求項５】
前記左翼片の前記末端部と前記右翼片の前記末端部とには、互いに対をなして内方へ延びた接続部が延設され、
前記左翼片の前記末端部の前記接続部には、凸柱が突設され、
前記右翼片の前記末端部の前記接続部には、穿孔部が形成され、
前記右翼片の前記穿孔部に前記左翼片の前記凸柱が挿設されると、前記左翼片と前記右翼片とが前記開放端で結合され、前記外枠体によりアーチ状のプラスチックヘアクリップが形成されることを特徴とする請求項１に記載のプラスチックヘアクリップ。
【請求項６】
前記開放端の前記末端点は、前記接続部の最外側端点に位置することを特徴とする請求項１又は５に記載のプラスチックヘアクリップ。
【請求項７】
前記成分比率の許容範囲は５％以内であることを特徴とする請求項２に記載のプラスチックヘアクリップ。
【請求項８】
前記Ｋ−レジンは、前記ポリプロピレンと代替可能であることを特徴とする請求項２に記載のプラスチックヘアクリップ。
【請求項９】
外枠体及び内挟持片を備えるプラスチックヘアクリップであって、
前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、
前記内挟持片は、前記左翼片と前記右翼片との間に配設されるとともに、長さが前記左翼片及び前記右翼片より僅かに短く、アーチ体を有し、前記内挟持片の一端が前記左翼片及び前記右翼片の前記結合端と一体結合され、
前記外枠体の前記左翼片と前記右翼片とが前記開放端で結合されると、前記内挟持片の他端が前記外枠体の他側部に位置し、前記外枠体と前記内挟持片とによりプラスチックヘアクリップが形成され、
ＣＨＤＭ（１，４―シクロヘキサンジメタノール）５５％、エチレングリコール（ｅｔｈｙｌｅｎｅ  ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とＫ−レジン（Ｋ−Ｒｅｓｉｎ）とからなる群から選択した物４％を含み、
前記成分比率で製造されたプラスチック本体に曲げ白化現象又は亀裂が生じることを防ぐことを特徴とするプラスチックヘアクリップ。
【考案の詳細な説明】
【技術分野】
【０００１】
本考案は、プラスチックヘアクリップに関し、特に、プラスチック本体の弾性を利用して開閉を行い、好ましい挟持度を有する上、長期間使用しても弾性疲労が起きない、プラスチックヘアクリップに関する。
【背景技術】
【０００２】
一般に髪を整えるには、ヘアクリップ、カチューシャ、簪又はその他髪を整えたり束ねたりする道具が用いられる。
【０００３】
ヘアクリップは髪を束ねるのに必要な耐屈曲性を備えていなければならず、金属ばねなどを利用するのが一般的であった。剛性が高くて弾性回復力を有する金属からなるクリップは、見た目を良くするために、各種プラスチック製の装飾品を金属上に貼着し、色、模様及び質感を高めていた。
【０００４】
金属は原材料の値段高騰により生産コストが大幅に増加しており、プラスチック製装飾品が貼着された金属を廃棄する際、金属を分類して回収することは容易でなく、溶剤、燃焼などの方式により金属を回収しなければならなかったため、前述のプラスチック製装飾品は、有害物質などを発生させて環境を汚染させる虞があった。また、このような金属により製作されたクリップは、プラスチック製装飾品の貼着工程が複雑な上、金属部分に錆が発生し易かった。特に、シャワーを浴びるなどして湿度が高い環境下では、水分が付着して錆が生じる虞があった。
【０００５】
従来、メーカの一部は、例えば、アクリロニトリル−・ブタジエン−・スチレン（Ａｃｒｙｌｏｎｉｔｒｉｌｅ−Ｂｕｔａｄｉｅｎｅ−Ｓｔｙｒｅｎｅ：ＡＢＳ）樹脂、ポリカーボネート（Ｐｏｌｙｃａｒｂｏｎａｔｅ：ＰＣ）、アクリル（ポリメチルメタクリレート：Ｐｏｌｙｍｅｔｈｙｌｍｅｔｈａｃｒｙｌａｔｅ）など１種類のプラスチック原料によりプラスチックヘアクリップを製造していたが、このような材料は伸張性、弾性回復性及び靭性を同時に備えることができず、断裂、曲げ白化、老化などの現象が起き易かった。前述のプラスチック材料を利用して製作した厚さ１．２ｍｍ以下のヘアクリップは、柔らかすぎて剛性が少なく、硬度を高めるためにヘアクリップを厚くしなければならなかったが、弾性力を増やした場合、弾性力が小さくなり、ヘアクリップで髪をスムーズに留めることができなく、髪が切れやすかった。
【先行技術文献】
【特許文献】
【０００６】
【特許文献１】なし
【考案の概要】
【考案が解決しようとする課題】
【０００７】
本考案の主な目的は、好ましい挟持度を有する上、長期間使用しても弾性疲労が起きないプラスチックヘアクリップを提供することにある。
【課題を解決するための手段】
【０００８】
上記課題を解決するために、本考案の第１の形態によれば、外枠体及び内挟持片を備えるプラスチックヘアクリップであって、前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、前記内挟持片は、前記左翼片と前記右翼片との間に配設されるとともに、長さが前記左翼片及び前記右翼片より僅かに短く、アーチ体を有し、一端が前記左翼片及び前記右翼片の前記結合端と一体結合され、前記外枠体の前記左翼片と前記右翼片とが前記開放端で結合されると、前記内挟持片の他端が前記外枠体の他側部に位置し、前記外枠体と前記内挟持片とにより前記プラスチックヘアクリップが形成され、前記左翼片と前記右翼片とが結合されていないとき、前記結合端の末端点と前記開放端の末端点とにより形成された縦向き距離は、結合された２つの末端点の縦向き距離より大きく、前記プラスチックヘアクリップで髪を挟持しないとき、前記左翼片と前記右翼片との前記開放端を外して前記外枠体の弾性を長期間保持し、前記プラスチックヘアクリップの使用寿命を延ばすことを特徴とするプラスチックヘアクリップが提供される。
【０００９】
ＣＨＤＭ（１，４―シクロヘキサンジメタノール）５５％、エチレングリコール（Ｅｔｈｙｌｅｎｅ  Ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とＫ−レジン（Ｋ−Ｒｅｓｉｎ）とからなる群から選択した物４％を含む成分比率で製造され、曲げ白化現象又は亀裂がプラスチック本体に生じることを防ぐことが好ましい。
【００１０】
厚さが０．８〜１．２ｍｍであり、特に０．９ｍｍであることが好ましい。
【００１１】
前記結合端に延設された前記左翼片とバーチャル中軸線とからなる夾角が５〜７度であり、前記右翼片と前記バーチャル中軸線とからなる夾角は５〜７度であることが好ましい。
【００１２】
前記左翼片の前記末端部と前記右翼片の前記末端部とには、互いに対をなして内方へ延びた接続部が延設され、前記左翼片の前記末端部の前記接続部には、凸柱が突設され、前記右翼片の前記末端部の前記接続部には、穿孔部が形成され、前記右翼片の前記穿孔部に前記左翼片の前記凸柱が挿設されると、前記左翼片と前記右翼片とが前記開放端で結合され、前記外枠体によりアーチ状のプラスチックヘアクリップが形成されることが好ましい。
【００１３】
前記開放端の前記末端点は、前記接続部の最外側端点に位置することが好ましい。
【００１４】
前記成分比率の許容範囲は５％以内であることが好ましい。
【００１５】
前記Ｋ−レジンは、前記ポリプロピレンと代替可能であることが好ましい。
【００１６】
上記課題を解決するために、本考案の第２の形態によれば、外枠体及び内挟持片を備えるプラスチックヘアクリップであって、前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、前記内挟持片は、前記左翼片と前記右翼片との間に配設されるとともに、長さが前記左翼片及び前記右翼片より僅かに短く、アーチ体を有し、前記内挟持片の一端が前記左翼片及び前記右翼片の前記結合端と一体結合され、前記外枠体の前記左翼片と前記右翼片とが前記開放端で結合されると、前記内挟持片の他端が前記外枠体の他側部に位置し、前記外枠体と前記内挟持片とによりプラスチックヘアクリップが形成され、ＣＨＤＭ（１，４―シクロヘキサンジメタノール）５５％、エチレングリコール（ｅｔｈｙｌｅｎｅ  ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とＫ−レジン（Ｋ−Ｒｅｓｉｎ）とからなる群から選択した物４％を含み、前記成分比率で製造されたプラスチック本体に曲げ白化現象又は亀裂が生じることを防ぐことを特徴とするプラスチックヘアクリップが提供される。
【考案の効果】
【００１７】
本考案のプラスチックヘアクリップは、好ましい挟持度を有する上、長期間使用しても弾性疲労が起きない。
【図面の簡単な説明】
【００１８】
【図１】図１は、本考案の一実施形態に係るプラスチックヘアクリップを示す斜視図である。
【図２】図２は、本考案の一実施形態に係るプラスチックヘアクリップの開放端が分離された状態を示す上面図である。
【図３】図３は、本考案の一実施形態に係るプラスチックヘアクリップの開放端が結合された状態を示す上面図である。
【図４】図４は、本考案の一実施形態に係るプラスチックヘアクリップを示す斜視図である。
【図５】図５は、本考案の一実施形態に係るプラスチックヘアクリップが互いに結合されないときの結合端の末端点と開放端の末端点とにより形成される縦向き距離と、結合後の２つの末端点の縦向き距離とを示す側面図である。
【図６】図６は、本考案のプラスチックヘアクリップの使用状態の説明図である。
【図７】図７は、本考案の一実施形態に係るプラスチックヘアクリップに髪が留められた使用状態の説明図である。
【考案を実施するための形態】
【００１９】
以下、本考案の実施形態について図に基づいて説明する。なお、これによって本考案が限定されるものではない。
図１を参照する。図１に示すように、本考案の一実施形態に係るプラスチックヘアクリップのプラスチックヘアクリップ１０は、０．８〜１．２ｍｍの厚さを有し（特に厚さ０．９ｍｍであることが好ましい）、外枠体１を含む。外枠体１は、左翼片１１及び右翼片１２から構成される。左翼片１１及び右翼片１２は、一端に結合端１３が一体成形され、他端に開放端１４が形成され、使用しないときは、左翼片１１の末端部１１０と右翼片１２の末端部１２０とが分離された開放端１４に形成される上、結合端１３に延設された左翼片１１とバーチャル中軸線Ｌとからなる夾角θは５〜７度の間であり、右翼片１２とバーチャル中軸線Ｌとからなる夾角θは５〜７度の間であり、図２に示すように、左翼片１１の末端部１１０と右翼片１２の末端部１２０とが結合されていない状態で、結合端１３の末端点Ｐ０と開放端１４の末端点Ｐ１とによりバーチャル中軸線Ｌに対して平行な縦向き距離Ｌ１が形成される。内挟持片２は、左翼片１１と右翼片１２との間に配設され、内挟持片２の長さが前述の左翼片１１及び右翼片１２より僅かに短く、アーチ体２１を有し、内挟持片２の一端が前述の左翼片１１及び右翼片１２の結合端１３と一体結合される。前述の外枠体１の左翼片１１と右翼片１２の開放端１４とを結合させると、内挟持片２の他端が外枠体１の他側部に位置し（図４参照）、外枠体１と内挟持片２とによりアーチ状のプラスチックヘアクリップ１０が形成され、左翼片１１の末端部１１０と右翼片１２の末端部１２０とが結合されている。結合端１３の末端点Ｐ０と、開放端１４が結合されて形成された末端点Ｐ２とにより、バーチャル中軸線Ｌに対して平行な縦向き距離Ｌ２が形成され、図３に示すように、互いに結合されていない翼片１１，１２の結合端１３の末端点Ｐ０と、開放端１４の末端点Ｐ１とにより形成された縦向き距離Ｌ１は、互いに結合された２つの末端点Ｐ０，Ｐ２の縦向き距離Ｌ２より大きい。
【００２０】
上述のプラスチックヘアクリップ１０に対して材料実験を行った結果、以下のことが分かった。
【００２１】
本出願人が取得した米国特許第８，１８１，６５８Ｂ２号を本考案のプラスチックヘアクリップ１０の組成成分として用いる。プラスチックヘアクリップ１０の組成成分には、ＣＨＤＭ（１，４―シクロヘキサンジメタノール）５５％、エチレングリコール（ｅｔｈｙｌｅｎｅ  ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、ポリプロピレン（ｐｏｌｙｐｒｏｐｙｌｅｎｅ：ＰＰ）とＫ−レジン（Ｋ−Ｒｅｓｉｎ）とからなる群から選択した物４％を含み、各成分比率は５％以下の許容範囲を有し、ポリプラスチック材料を形成した後、プラスチックヘアクリップ１０の成形金型内に注入して射出成形し、プラスチックヘアクリップ１０を製作する。
【００２２】
本考案の材料特性としては、ＣＨＤＭ（１，４―シクロヘキサンジメタノール）をテレフタル酸ジメチルの水素化により製造し、化学修飾されたＰＥＴ、アモルファス材質（ＰＥＴＧＰＣＴＧ）、エンジニアリングプラスチック、接着剤などの製品を生産するために応用する。エチレングリコール（Ｅｔｈｙｌｅｎｅ  Ｇｌｙｃｏｌ：ＥＧ）の見ためは濃厚液体であり、好適な沸点（１９３．３７℃）を有する。ＰＴＡは、パラキシレン（p−Ｘｙｌｅｎｅ）の触媒により転化され、酢酸が溶剤として用いられ、高温かつ適切な圧力下で酸化させて精製・製造を行う。本考案は見ための白さを際立たせるために、増白剤を１％添加し、ポリプロピレン又はＫ−レジンを添加する。
【００２３】
Ｋ−レジンは、透明なスチレン―ブタジエン共重合体の一種である。ポリプロピレン（Ｐｏｌｙｐｒｏｐｙｌｅｎｅ：ＰＰ）は、軽量で加工性に優れている。ＣＨＤＭ、エチレングリコール、ＰＴＡ、増白剤、ポリプロピレン、Ｋ−レジンなどの成分組成によりポリプラスチック材料を得る。このポリプラスチック材料をプラスチックヘアクリップ１０の金型に注入して射出成形すると、伸張性、弾性回復性及び靭性を得て、プラスチックヘアクリップ１０に曲げ白化現象が生じないため、プラスチックヘアクリップ１０の白さが際立って見た目が良くなる上、環境を汚染させることがない。
【００２４】
前述した左翼片１１の末端部１１０と右翼片１２の末端部１２０とには、互いに対をなして内方へ延びた接続部１１１，１２１が延設される。左翼片１１の末端部１１０の接続部１１１には、凸柱１１２が突設されている。右翼片１２の末端部１２０の接続部１２１には、穿孔部１２２が形成されている。前述した開放端１４の末端点Ｐ１は、接続部１１１又は接続部１２１の最外側の端点に位置し、右翼片１２の穿孔部１２２に左翼片１１の凸柱１１２が挿設されると、左翼片１１と右翼片１２とが開放端１４で結合されて内空状の外枠体１が形成され、外枠体１によりアーチ状のプラスチックヘアクリップ１０に形成される（図４及び図５を参照）。前述した末端点Ｐ２は、アーチ状に形成されたプラスチックヘアクリップの接続部１１１又は接続部１２１の最外側の端点であり、使用する際、ユーザが内挟持片２を僅かに押圧するだけで外枠体１が跳ね上がり、外枠体１と内挟持片２との間に開口部３が形成され、ユーザが髪４を挟持する際、指５で外枠体１の結合端１３と、互いに結合された開放端１４とを押圧すると（図６及び図７を参照）、プラスチックヘアクリップ１０の外枠体１、内挟持片２、結合端１３に付勢力が付与される。特に、結合端１３に近い外枠体１の部位Ａに応力が集中して大きな付勢力を得ることができるため、プラスチックヘアクリップ１０に曲げ白化現象が発生したり外枠体１の部位Ａに亀裂が発生したりすることを防ぐことができる。
【００２５】
上述したことから分かるように、本考案のプラスチックヘアクリップのプラスチックヘアクリップ１０は、上述の材料及び比率により、十分な弾性、弾性回復性を備える上、製作が容易で、使用の挟持度を好ましくすることができる上、長期間使用しても弾性疲労が生じない長所を有し、上述した曲げ白化現象が生じたり、容易に断裂したり老化したりすることを防ぐことができる。また、高い強度を有する上、環境を汚染したり錆が生じたり回収して分類しなければならなかった金属の欠点がない。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  外枠体
２  内挟持片
３  開口部
４  髪
５  指
１０  プラスチックヘアクリップ
１１  左翼片
１２  右翼片
１３  結合端
１４  開放端
２１  アーチ体
１１０  末端部
１１１  接続部
１１２  凸柱
１２０  末端部
１２１  接続部
１２２  穿孔部
【図１】
0003194990.tif 000003
【図２】
0003194990.tif 000004
【図３】
0003194990.tif 000005
【図４】
0003194990.tif 000006
【図５】
0003194990.tif 000007
【図６】
0003194990.tif 000008
【図７】
0003194990.tif 000009
【手続補正書】
【提出日】平成26年10月17日(2014.10.17)
【手続補正１】
【補正対象書類名】実用新案登録請求の範囲
【補正対象項目名】全文
【補正方法】変更
【補正の内容】
【実用新案登録請求の範囲】
【請求項１】
外枠体及び内挟持片を備えるプラスチックヘアクリップであって、
前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、
前記内挟持片は、前記左翼片と前記右翼片との間に配設されるとともに、長さが前記左翼片及び前記右翼片より僅かに短く、アーチ体を有し、一端が前記左翼片及び前記右翼片の前記結合端と一体結合され、
前記外枠体の前記左翼片と前記右翼片とが前記開放端で結合されると、前記内挟持片の他端が前記外枠体の他側部に位置し、前記外枠体と前記内挟持片とにより前記プラスチックヘアクリップが形成され、
前記左翼片と前記右翼片とが結合されていないとき、前記結合端の末端点と前記開放端の末端点とにより形成された縦向き距離は、結合された２つの末端点の縦向き距離より大きく、
前記プラスチックヘアクリップで髪を挟持しないとき、前記左翼片と前記右翼片との前記開放端を外して前記外枠体の弾性を長期間保持し、前記プラスチックヘアクリップの使用寿命を延ばすことを特徴とするプラスチックヘアクリップ。
【請求項２】
ＣＨＤＭ（１，４―シクロヘキサンジメタノール）５５％、エチレングリコール（Ｅｔｈｙｌｅｎｅ  Ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とスチレンブタジエンコポリマー（Ｓｔｙｒｅｎｅ−Ｂｕｔａｄｉｅｎｅ  Ｃｏｐｏｌｙｍｅｒ）とからなる群から選択した物４％を含む成分比率で製造され、曲げ白化現象又は亀裂がプラスチック本体に生じることを防ぐことを特徴とする請求項１に記載のプラスチックヘアクリップ。
【請求項３】
厚さが０．８〜１．２ｍｍであり、特に０．９ｍｍであることが好ましいことを特徴とする請求項１に記載のプラスチックヘアクリップ。
【請求項４】
前記結合端に延設された前記左翼片とバーチャル中軸線とからなる夾角が５〜７度であり、
前記右翼片と前記バーチャル中軸線とからなる夾角は５〜７度であることを特徴とする請求項１に記載のプラスチックヘアクリップ。
【請求項５】
前記左翼片の前記末端部と前記右翼片の前記末端部とには、互いに対をなして内方へ延びた接続部が延設され、
前記左翼片の前記末端部の前記接続部には、凸柱が突設され、
前記右翼片の前記末端部の前記接続部には、穿孔部が形成され、
前記右翼片の前記穿孔部に前記左翼片の前記凸柱が挿設されると、前記左翼片と前記右翼片とが前記開放端で結合され、前記外枠体によりアーチ状のプラスチックヘアクリップが形成されることを特徴とする請求項１に記載のプラスチックヘアクリップ。
【請求項６】
前記開放端の前記末端点は、前記接続部の最外側端点に位置することを特徴とする請求項５に記載のプラスチックヘアクリップ。
【請求項７】
前記成分比率の許容範囲は５％以内であることを特徴とする請求項２に記載のプラスチックヘアクリップ。
【請求項８】
前記スチレンブタジエンコポリマーは、前記ポリプロピレンと代替可能であることを特徴とする請求項２に記載のプラスチックヘアクリップ。
【請求項９】
外枠体及び内挟持片を備えるプラスチックヘアクリップであって、
前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、
前記内挟持片は、前記左翼片と前記右翼片との間に配設されるとともに、長さが前記左翼片及び前記右翼片より僅かに短く、アーチ体を有し、前記内挟持片の一端が前記左翼片及び前記右翼片の前記結合端と一体結合され、
前記外枠体の前記左翼片と前記右翼片とが前記開放端で結合されると、前記内挟持片の他端が前記外枠体の他側部に位置し、前記外枠体と前記内挟持片とによりプラスチックヘアクリップが形成され、
ＣＨＤＭ（１，４―シクロヘキサンジメタノール）５５％、エチレングリコール（ｅｔｈｙｌｅｎｅ  ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とスチレンブタジエンコポリマー（Ｓｔｙｒｅｎｅ−Ｂｕｔａｄｉｅｎｅ  Ｃｏｐｏｌｙｍｅｒ）とからなる群から選択した物４％を含み、
前記成分比率で製造されたプラスチック本体に曲げ白化現象又は亀裂が生じることを防ぐことを特徴とするプラスチックヘアクリップ。
【手続補正２】
【補正対象書類名】明細書
【補正対象項目名】０００９
【補正方法】変更
【補正の内容】
【０００９】
ＣＨＤＭ（１，４―シクロヘキサンジメタノール）５５％、エチレングリコール（Ｅｔｈｙｌｅｎｅ  Ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とスチレンブタジエンコポリマー（Ｓｔｙｒｅｎｅ−Ｂｕｔａｄｉｅｎｅ  Ｃｏｐｏｌｙｍｅｒ）とからなる群から選択した物４％を含む成分比率で製造され、曲げ白化現象又は亀裂がプラスチック本体に生じることを防ぐことが好ましい。
【手続補正３】
【補正対象書類名】明細書
【補正対象項目名】００１５
【補正方法】変更
【補正の内容】
【００１５】
前記スチレンブタジエンコポリマーは、前記ポリプロピレンと代替可能であることが好ましい。
【手続補正４】
【補正対象書類名】明細書
【補正対象項目名】００１６
【補正方法】変更
【補正の内容】
【００１６】
上記課題を解決するために、本考案の第２の形態によれば、外枠体及び内挟持片を備えるプラスチックヘアクリップであって、前記外枠体は、左翼片及び右翼片から構成され、前記左翼片及び前記右翼片は、一端に結合端が一体成形され、他端に開放端が形成され、使用していないときは、前記左翼片の末端部と前記右翼片の末端部とが分離された開放端に形成される上、前記内挟持片は、前記左翼片と前記右翼片との間に配設されるとともに、長さが前記左翼片及び前記右翼片より僅かに短く、アーチ体を有し、前記内挟持片の一端が前記左翼片及び前記右翼片の前記結合端と一体結合され、前記外枠体の前記左翼片と前記右翼片とが前記開放端で結合されると、前記内挟持片の他端が前記外枠体の他側部に位置し、前記外枠体と前記内挟持片とによりプラスチックヘアクリップが形成され、ＣＨＤＭ（１，４―シクロヘキサンジメタノール）５５％、エチレングリコール（ｅｔｈｙｌｅｎｅ  ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、及びポリプロピレン（ｐｏｌｙｐｒｏｐｙｌｅｎｅ：ＰＰ）とスチレンブタジエンコポリマー（Ｓｔｙｒｅｎｅ−Ｂｕｔａｄｉｅｎｅ  Ｃｏｐｏｌｙｍｅｒ）とからなる群から選択した物４％を含み、前記成分比率で製造されたプラスチック本体に曲げ白化現象又は亀裂が生じることを防ぐことを特徴とするプラスチックヘアクリップが提供される。
【手続補正５】
【補正対象書類名】明細書
【補正対象項目名】００２１
【補正方法】変更
【補正の内容】
【００２１】
本出願人が取得した米国特許第８，１８１，６５８Ｂ２号を本考案のプラスチックヘアクリップ１０の組成成分として用いる。プラスチックヘアクリップ１０の組成成分には、ＣＨＤＭ（１，４―シクロヘキサンジメタノール）５５％、エチレングリコール（ｅｔｈｙｌｅｎｅ  ｇｌｙｃｏｌ：ＥＧ）３０％、ＰＴＡ（Ｐｕｒｅ  Ｔｅｒｅｐｈｔｈａｌｉｃ  Ａｃｉｄ）１０％、増白剤（ｏｐｔｉｃａｌ  ｂｒｉｇｈｔｅｎｅｒ）１％、ポリプロピレン（ｐｏｌｙｐｒｏｐｙｌｅｎｅ：ＰＰ）とスチレンブタジエンコポリマー（Ｓｔｙｒｅｎｅ−Ｂｕｔａｄｉｅｎｅ  Ｃｏｐｏｌｙｍｅｒ）とからなる群から選択した物４％を含み、各成分比率は５％以下の許容範囲を有し、ポリプラスチック材料を形成した後、プラスチックヘアクリップ１０の成形金型内に注入して射出成形し、プラスチックヘアクリップ１０を製作する。
【手続補正６】
【補正対象書類名】明細書
【補正対象項目名】００２２
【補正方法】変更
【補正の内容】
【００２２】
本考案の材料特性としては、ＣＨＤＭ（１，４―シクロヘキサンジメタノール）をテレフタル酸ジメチルの水素化により製造し、化学修飾されたＰＥＴ、アモルファス材質（ＰＥＴＧＰＣＴＧ）、エンジニアリングプラスチック、接着剤などの製品を生産するために応用する。エチレングリコール（Ｅｔｈｙｌｅｎｅ  Ｇｌｙｃｏｌ：ＥＧ）の見ためは濃厚液体であり、好適な沸点（１９３．３７℃）を有する。ＰＴＡは、パラキシレン（p−Ｘｙｌｅｎｅ）の触媒により転化され、酢酸が溶剤として用いられ、高温かつ適切な圧力下で酸化させて精製・製造を行う。本考案は見ための白さを際立たせるために、増白剤を１％添加し、ポリプロピレン又はスチレンブタジエンコポリマーを添加する。
【手続補正７】
【補正対象書類名】明細書
【補正対象項目名】００２３
【補正方法】変更
【補正の内容】
【００２３】
Ｋ−レジンは、透明なスチレン―ブタジエン共重合体の一種である。ポリプロピレン（Ｐｏｌｙｐｒｏｐｙｌｅｎｅ：ＰＰ）は、軽量で加工性に優れている。ＣＨＤＭ、エチレングリコール、ＰＴＡ、増白剤、ポリプロピレン、スチレンブタジエンコポリマーなどの成分組成によりポリプラスチック材料を得る。このポリプラスチック材料をプラスチックヘアクリップ１０の金型に注入して射出成形すると、伸張性、弾性回復性及び靭性を得て、プラスチックヘアクリップ１０に曲げ白化現象が生じないため、プラスチックヘアクリップ１０の白さが際立って見た目が良くなる上、環境を汚染させることがない。